(57)【要約】【課題】本考案は、ポイント表示機能を備えるオンラインショッピングにおけるポイント表示システムを提供する。【解決手段】運営業者が運営するショッピングページからなり、会員を第１販売業者として登録し、第１販売業者と運営業者は少なくとも１つの第１商品と第２商品を販売する。第１ユーザーが会員登録し消費すると、所定数のショッピングポイントを獲得し、第１ユーザーが携帯電子機器からショッピングページのＱＲコード（登録商標）をシェアし、第２ユーザー、第３ユーザー、第４ユーザーが階層形式で会員登録され、第２ユーザー、第３ユーザーが消費すると、第１ユーザーはそのショッピングポイントを受け取る。第４ユーザーが消費すると、第１ユーザーの携帯電子機器に損失ショッピングポイントが表示され、第１ユーザーが第２商品を購入すると、損失ショッピングポイントと第４ユーザーの消費したショッピングポイントを獲得できる。【選択図】図９
2020173737.tif 000002
【特許請求の範囲】
【請求項１】
オンラインショッピングサーバーからなるオンラインショッピングにおけるポイント表示システムであって、
前記オンラインショッピングサーバーは、運営業者によって管理且つ運営され、
前記オンラインショッピングサーバーは、少なくとも１つのプロセッサ及び少なくとも１つの記憶素子を備え、
前記記憶素子と前記プロセッサは、電気的に接続され、
前記記憶素子には、ソフトウェアプログラムが記憶され、前記プロセッサが前記ソフトウェアプログラムを実行すると、以下に挙げるシステムが達成され、
前記システムは、ショッピング情報を含むショッピングページをユーザー端末及び少なくとも１つの販売業者端末に提供し、
前記ショッピングページにおいて、第１ユーザーは、第１ユーザーアカウント情報を登録して前記ショッピングページの会員になることができ、
前記第１ユーザーアカウント情報は、第１ショッピングポイントモジュール及び第２紹介ポイントモジュールを備え、
前記ショッピングページにおいて、販売業者は、前記販売業者端末から少なくとも１つの第１商品を出品し、
前記運営業者は、少なくとも１つの第２商品を出品するとともに、前記ショッピングページから前記ユーザー端末からの少なくとも１つの第１商品を含む第１買い物リスト及び前記第１買い物リストの第１合計金額データを受け取り、
そのうち、前記ソフトウェアプログラムは、前記第１合計金額データから前記第１商品の仕入価格を差し引いて獲得される利益データを算出し、前記ソフトウェアプログラムによって処理され前記利益データの少なくとも０．１％がショッピングポイントとされるとともに前記第１ユーザーの第１ショッピングポイントモジュールに記憶され、
前記ユーザー端末と前記販売業者端末は、それぞれ電子裝置であり、
前記ユーザー端末と前記販売業者端末は、通信ユニットと、タッチスクリーンと、前記通信ユニットと前記タッチスクリーンに電気的に接続される処理ユニットと、前記処理ユニットによって実行される制御プログラムを備え、
前記制御プログラムが実行されると、以下に挙げるシステムが達成され、
前記第１ユーザーは、前記制御プログラムによって、前記ショッピングページのＵＲＬまたはＱＲコード（登録商標）をインターネットまたはコミュニティサイトにシェア拡散することで、少なくとも１人の第２ユーザーが前記ＵＲＬまたは前記ＱＲコード（登録商標）から前記オンラインショッピングサーバーにアクセスするとともに、第２ユーザーアカウント情報を登録し、
前記第２ユーザーアカウント情報は、第２ショッピングポイントモジュール及び第２紹介ポイントモジュールを備え、
前記第２ユーザーが、前記制御プログラムによって、前記ショッピングページのＵＲＬまたはＱＲコード（登録商標）をインターネットまたはコミュニティサイトにさらにシェア拡散することで、少なくとも１人の第３ユーザーが前記ＵＲＬまたは前記ＱＲコード（登録商標）から前記オンラインショッピングサーバーにアクセスするとともに、第３ユーザーアカウント情報を登録し、
前記第３ユーザーアカウント情報は、第３ショッピングポイントモジュール及び第２紹介ポイントモジュールを備え、
前記第３ユーザーが前記制御プログラムによって、前記ショッピングページのＵＲＬまたはＱＲコード（登録商標）をインターネットまたはコミュニティサイトにさらにシェア拡散することで、少なくとも１人の第４ユーザーが前記ＵＲＬまたは前記ＱＲコード（登録商標）から前記オンラインショッピングサーバーにアクセスするとともに、第４ユーザーアカウント情報を登録し、
前記第４ユーザーアカウント情報は、第４ショッピングポイントモジュール及び第４紹介ポイントモジュールを備え、
前記第２ユーザーと前記第３ユーザーは、前記ショッピングページにおいて、第１商品を含む第２買い物リスト及びその第２合計金額データと、第１商品を含む第３買い物リスト及びその第３合計金額データをそれぞれ返送し、前記ソフトウェアプログラムによって処理されることで前記第２合計金額データと前記第３合計金額データのうちの少なくとも０．１％が前記ショッピングポイントとされるとともに、前記第１ユーザーの第１ショッピングポイントモジュールと、前記第２ユーザーの第２ショッピングポイントモジュールと、前記第３ユーザーの第３ショッピングポイントモジュールに記憶され、
前記第４ユーザーは、前記ショッピングページにおいて、少なくとも１つの第１商品を含む第４買い物リスト及びその第４合計金額データを返送し、前記ソフトウェアプログラムによって処理されることで前記第４合計金額データのうちの少なくとも０．１％が前記ショッピングポイントとされるとともに、前記ショッピングポイントデータは、前記第１ユーザーのユーザー端末に表示されることで、前記第１ユーザーの未獲得のショッピングポイントが表示され、
前記第１ユーザーが前記ショッピングページにおいて、少なくとも１つの前記第２商品を含む第５買い物リストを返送し、前記ソフトウェアプログラムによって処理され且つ確認されると、前記未獲得のショッピングポイントは、０に戻り、前記第４ユーザーが、前記ショッピングページにおいて、少なくとも１つの第１商品を含む第４買い物リスト及びその第４合計金額データを返送し、前記ソフトウェアプログラムによって処理され前記第４合計金額データのうちの少なくとも０．１％が前記ショッピングポイントとされるとともに、前記第１ユーザーの第１ショッピングポイントモジュールに記憶される
ことを特徴とするオンラインショッピングにおけるポイント表示システム。
【請求項２】
前記第２ユーザーが前記第２ユーザーアカウント情報を登録するとともに、前記ソフトウェアプログラムによって処理され前記第２ユーザーアカウント情報が確認されると、前記第１ユーザーの第２紹介ポイントモジュールにおいて、少なくとも１つの紹介ポイントが記憶される
ことを特徴とする請求項１に記載のオンラインショッピングにおけるポイント表示システム。
【請求項３】
前記第３ユーザーが前記第３ユーザーアカウント情報を登録するするとともに、前記ソフトウェアプログラムによって処理され前記第３ユーザーアカウント情報が確認されると、前記第２ユーザーの第２紹介ポイントモジュールにおいて、少なくとも１つの紹介ポイントが記憶される
ことを特徴とする請求項１に記載のオンラインショッピングにおけるポイント表示システム。
【請求項４】
前記第４ユーザーが前記第４ユーザーアカウント情報を登録するとともに、前記ソフトウェアプログラムによって処理され前記第４ユーザーアカウント情報が確認されると、前記第３ユーザーの第２紹介ポイントモジュールにおいて、少なくとも１つの紹介ポイントが記憶される
ことを特徴とする請求項１に記載のオンラインショッピングにおけるポイント表示システム。
【発明の詳細な説明】
【技術分野】
【０００１】
本考案は、オンラインショッピングシステムに関し、特に、ポイント表示機能を備えるショッピングシステムに関する。
【背景技術】
【０００２】
従来におけるボーナスまたはボーナス還元の仕組みを備えるオンラインショッピングシステムには、通常以下に挙げる幾つかの欠点が存在する。（１）  被紹介者が自ら紹介者の情報を提供するとともに、商品を購入してはじめて、紹介者は、還元ボーナスまたはポイントを獲得することができる。被紹介者が紹介者の情報を提供しなかった場合、紹介者は、還元ボーナスを失ってしまう。（２）利益分配システムにおける利益分配条件は、柔軟性に欠けており、ユーザーは、現在損失した還元ボーナスまたはポイントが分からないため、積極的な利用への意欲を失ってしまう。
【発明の概要】
【発明が解決しようとする課題】
【０００３】
本考案は、主に、第１ユーザーの損失ショッピングポイントを表示することで、第１ユーザーが第２商品を購買するように促し、損失ショッピングポイントを獲得できるようにするオンラインショッピングにおけるポイント表示システムを提供することを目的とする。
【課題を解決するための手段】
【０００４】
本発明のオンラインショッピングにおけるポイント表示システムは、運営業者が運営するショッピングページからなるとともに、会員を第１販売業者として登録し、第１販売業者と運営業者は、少なくとも１つの第１商品及び第２商品をそれぞれ販売する。第１ユーザーが会員登録するとともに消費すると、所定の数のショッピングポイントを獲得することができる。第１ユーザーが携帯電子機器を通じてショッピングページのＱＲコード(登録商標)をシェアすると、第２ユーザーは、会員として登録されるとともに、階層形式で第３ユーザー、第４ユーザーも順番に会員として登録され、第２ユーザー、第３ユーザーがショッピングページにおいて消費すると、第１ユーザーは、第２ユーザーと第３ユーザーのショッピングポイントを同時に受け取ることができる。第４ユーザーが消費すると、第１ユーザーの携帯電子機器に損失ショッピングポイントが表示され、第１ユーザーが第２商品を購入すると、第１ユーザーは、表示された損失ショッピングポイント及び以後第４ユーザーが消費した場合のショッピングポイントを受け取ることができる。
【発明の効果】
【０００５】
本発明のオンラインショッピングにおけるポイント表示システムの主な目的は、第１ユーザーの損失ショッピングポイントを表示することで、第１ユーザーが第２商品を購買するように促し、損失ショッピングポイントを獲得できるようにすることである。
【図面の簡単な説明】
【０００６】
【図１】本発明における接続を示した図である。
【図２】本発明の組織図である。
【図３】本発明における第１ユーザーアカウント情報を示した図である。
【図４】本発明における第１ユーザーが使用している場合のフローチャートである。
【図５】本発明における第１ユーザーが第２ユーザーに紹介した場合のフローチャートである。
【図６】本発明における第２ユーザーが第３ユーザーに紹介した場合のフローチャートである。
【図７】本発明における第３ユーザーが第４ユーザーに紹介した場合のフローチャートである。
【図８】本発明における第２ユーザーと第３ユーザーの使用状態を示した図である。
【図９】本発明における第４ユーザーの使用状態を示した図である。
【図１０】本発明における第１ユーザーが第１商品を購入した場合の状態を示した図である。
【発明を実施するための形態】
【０００７】
図１を参照する。本発明のオンラインショッピングにおけるポイント表示システム１は、オンラインショッピングサーバー１０と、少なくとも１つのユーザー端末２０と、少なくとも１つの販売業者端末３０と、からなる。
【０００８】
図２及び図３を参照する。オンラインショッピングサーバー１０は、運営業者１１によって管理且つ運営され、前記オンラインショッピングサーバー１０は、少なくとも１つのプロセッサ（未図示）及び少なくとも１つの記憶素子（未図示）を備え、前記記憶素子と前記プロセッサは、電気的に接続され、前記記憶素子には、ソフトウェアプログラム（未図示）が記憶され、前記プロセッサが前記ソフトウェアプログラムを実行した場合、以下に挙げるシステムが達成される。
【０００９】
前記システムは、ショッピング情報を含むショッピングページ１２をユーザー端末２０及び少なくとも１つの販売業者端末３０に提供し、前記ショッピングページ１２において、第１ユーザー２１は、第１ユーザーアカウント情報２１１を登録して前記ショッピングページ１２の会員になることができ、前記第１ユーザーアカウント情報２１１は、第１ショッピングポイントモジュール２１２及び第２紹介ポイントモジュール２１３を備える。
【００１０】
図２から図４を参照する。前記ショッピングページ１２において、販売業者３１は、前記販売業者端末３０から少なくとも１つの第１商品３２を出品することができる。前記運営業者１１は、少なくとも１つの第２商品１１１を出品する。
【００１１】
前記ショッピングページ１２において、前記ユーザー端末２０から少なくとも１つの第１商品３２の第１買い物リスト１２ａ及び前記第１買い物リスト１２ａの第１合計金額データ１２ａ１を含む情報を受け取り、そのうち、前記ソフトウェアプログラムは、前記第１合計金額データ１２ａ１から前記第１商品３２の仕入価格を差し引いた後に得られる利益データを算出し、前記ソフトウェアプログラムによって処理されることで、前記利益データの少なくとも０．１％がショッピングポイントとされるとともに前記第１ユーザー２１の第１ショッピングポイントモジュール２１２に記憶する。言い換えれば、第１ユーザー２１がショッピングページ１２において消費すればするほど、さらに多くのショッピングポイントを獲得することができ、ショッピングポイントは、ショッピングページ１２における第１合計金額データ１２ａ１からの値引きとして使用することもできることで、消費者の購買意欲が向上する。
【００１２】
図５を参照する。前記ユーザー端末２０と前記販売業者端末３０は、それぞれ電子裝置（未図示）であって、前記ユーザー端末２０と前記販売業者端末３０は、通信ユニット（未図示）と、タッチスクリーン（未図示）と、前記通信ユニットと前記タッチスクリーンに電気的に接続される処理ユニット（未図示）と、前記処理ユニットによって実行される制御プログラム２２（つまり、携帯アプリＡＰＰ）を備え、前記制御プログラム２２が実行されると、以下に挙げるシステムが達成される。
【００１３】
前記第１ユーザー２１は、前記制御プログラム２２によって、前記ショッピングページ１２のＵＲＬまたはＱＲコード（登録商標）をインターネットまたはコミュニティサイトにシェア拡散することで、少なくとも１人の第２ユーザー２３が前記ＵＲＬまたは前記ＱＲ（登録商標）から前記オンラインショッピングサーバー１０にアクセスするとともに、第２ユーザーアカウント情報２３１を登録する。
【００１４】
上述の前記第２ユーザー２３が前記第２ユーザーアカウント情報２３１を登録するとともに、前記ソフトウェアプログラムによって処理され前記第２ユーザーアカウント情報２３１が確認されると、前記第１ユーザー２１の第２紹介ポイントモジュール２１３において、少なくとも１つの紹介ポイントが記憶される。
【００１５】
図６を参照する。前記第２ユーザー２３が前記制御プログラム２２によって、前記ショッピングページ１２のＵＲＬまたはＱＲコード（登録商標）をインターネットまたはコミュニティサイトにさらにシェア拡散することで、少なくとも１人の第３ユーザー２４が前記ＵＲＬまたは前記ＱＲコード（登録商標）から前記オンラインショッピングサーバー１０にアクセスするとともに、第３ユーザーアカウント情報２４１を登録する。
【００１６】
上述の前記第３ユーザー２４が前記第３ユーザーアカウント情報２４１を登録するととともに、前記ソフトウェアプログラムによって処理され前記第３ユーザーアカウント情報２４１が確認されると、前記第２ユーザー２３の第２紹介ポイントモジュール２３３において少なくとも１つの紹介ポイントが記憶される。
【００１７】
図７を参照する。前記第３ユーザー２４が前記制御プログラム２２によって、前記ショッピングページ１２のＵＲＬまたはＱＲコード（登録商標）をインターネットまたはコミュニティサイトにさらにシェア拡散することで、少なくとも１人の第４ユーザー２５が前記ＵＲＬまたは前記ＱＲコード（登録商標）から前記オンラインショッピングサーバー１０にアクセスするとともに、第４ユーザーアカウント情報２５１を登録する。
【００１８】
上述の前記第４ユーザー２５が前記第４ユーザーアカウント情報２５１を登録するとともに、前記ソフトウェアプログラムによって処理され前記第４ユーザーアカウント情報２５１が確認されると、前記第３ユーザー２４の第２紹介ポイントモジュール２４３において、少なくとも１つの紹介ポイントが記憶される。
【００１９】
上述の第１ユーザー２１、第２ユーザー２３、第３ユーザー２４、及び、第４ユーザー２５の間には、順序上の連携関係が存在するため、第１ユーザー２１、第２ユーザー２３、第３ユーザー２４、及び、第４ユーザー２５がショッピングページ１２において会員として登録される順序について特に詳細に説明する。
【００２０】
図８を参照する。前記第２ユーザー２３と前記第３ユーザー２４は、前記ショッピングページにおいて、第１商品３２を含む第２買い物リスト１２ｂ及びその第２合計金額データ１２ｂ１と、第１商品３２を含む第３買い物リスト１２ｃ及びその第３合計金額データ１２ｃ１をそれぞれ返送し、前記ソフトウェアプログラムによって処理されることで前記第２合計金額データ１２ｂ１と前記第３合計金額データ１２ｃ１の少なくとも０．１％が前記ショッピングポイントとされるとともに、前記第１ユーザー２１の第１ショッピングポイントモジュール２１２と、前記第２ユーザー２３の第２ショッピングポイントモジュール２３２と、前記第３ユーザー２４１の第３ショッピングポイントモジュール２４２に記憶される。
【００２１】
言い換えると、第２ユーザー２３と第３ユーザー２４がショッピングページ１２において消費すると、第２ユーザー２３と第３ユーザー２４が各自のショッピングポイントを獲得することができるだけでなく、第１ユーザー２１も第２ユーザー２３と第３ユーザー２４が消費することによってショッピングポイントを獲得することができ、第２ユーザー２３も第３ユーザー２４が消費すると、ショッピングポイントを獲得することができる。
【００２２】
図９を参照する。前記第４ユーザー２５は、前記ショッピングページ１２において、少なくとも１つの第１商品３２を含む第４買い物リスト１２ｄ及びその第４合計金額データ１２ｄ１を返送し、前記ソフトウェアプログラムによって処理されることで前記第４合計金額データ１２ｄ１のうちの少なくとも０．１％が前記ショッピングポイントとされるとともに、第４ユーザー２５の第４ショッピングポイントモジュールに記憶され、同時に、前記ショッピングポイントのデータが前記第１ユーザー２１のユーザー端末２０に表示されることで、前記第１ユーザー２１の未獲得のショッピングポイント（制御プログラム２２において「損失ショッピングポイント、未取得のショッピングポイント、または、未獲得のショッピングポイント」といった言葉で表示することができるが、これらに制限されない）が表示される。
【００２３】
図１０を参照する。前記第１ユーザー２１が前記ショッピングページ１２において少なくとも１つの前記第２商品１１１を含む第５買い物リスト１２ｅ１を返送し、前記ソフトウェアプログラムによって処理され且つ確認されると、前記未獲得のショッピングポイントは、前記第１ユーザー２１の第１ショッピングポイントモジュール２１３に記憶される。
【００２４】
言い換えれば、第１ユーザー２１が自ら第１商品３２を購入した場合、ショッピングポイントを獲得することができ、第２ユーザー２３と第３ユーザー２４が第１商品３２を購入した場合、第１ユーザー２１もショッピングポイントを獲得することができ、第１ユーザー２１が、第４ユーザー２５が第１商品３２を購入した場合のショッピングポイントを獲得したい場合、第１ユーザー２１は、第２商品１１１を先に購入しなければならず、第１ユーザー２１が第２商品１１１を購入していない場合、ユーザー端末２０において未獲得のショッピングポイントが表示され、第１ユーザー２１がユーザー端末２０に表示された未獲得のショッピングポイントを見ることで、第１ユーザー２１に第２商品１１１への購買意欲を起こさせることができる。この「ユーザー端末２０に未獲得のショッピングポイントを表示する」表示機能こそが本発明の主な目的であり、第１商品３２及び第２商品１１１を消費することによって獲得することのできるショッピングポイントを、消費者がはっきり且つ確実に分かるようにすることで、ショッピングページ１２における購買意欲が高まる。
【００２５】
本実施例における設定では、第４ユーザー２５の消費後に、第１ユーザー２１は、第２商品１１１を購入してはじめて、第４ユーザー２５の消費によるショッピングポイントを獲得することができるが、第４ユーザー２５に制限されず、第３ユーザー２４で設定することもでき、または順序的に第４ユーザー２５の後ろにくるユーザーで設定することもできる。
【００２６】
さらに、本発明では、システムの終了を設定することもでき、例えば、第１ユーザー２１が第２商品１１１を購入すると、以後第４ユーザー２５の消費によるショッピングポイントを獲得することができるとともに、これによって類推され、少なくとも１人の第８ユーザー（未図示）の消費によるショッピングポイントを獲得することができるが、これに制限されない。
【００２７】
本実施例において、オンラインショッピングサーバー１０は、少なくとも１つの実店舗と連携することができることで、第１ユーザー２１が実店舗において第１商品３２を購入すると、ショッピングポイントを獲得することもできるとともに、制御プログラムによってショッピングポイントが第１ショッピングポイントモジュール２１２に記憶され、第２ユーザー２３と第３ユーザー２４が消費すると、第１ユーザー２１も第２ユーザー２３と第３ユーザー２４の消費によるショッピングポイントをそれぞれ獲得することができるとともに、第２ユーザー２３と第３ユーザー２４もそれぞれショッピングポイントを獲得することができる。第４ユーザー２５が消費すると、第２ユーザー２３と、第３ユーザー２４と、第４ユーザー２５のみがショッピングポイントを獲得することができ、この時、オンラインショッピングサーバー１０が第１ユーザー２１の制御プログラム２２にメッセージを返送することで、第１ユーザーが獲得することのできない第４ユーザー２５のショッピングポイント数を通知し、第１ユーザー２１が第２商品１１１を購入すると、前記未獲得のショッピングポイントは、０に戻り、以後前記第４ユーザー２５は、前記ショッピングページ１２において少なくとも１つの第１商品３２を含む第４買い物リスト１２ｄ及びその第４合計金額データ１２ｄ１を返送し、前記ソフトウェアプログラムによって処理され、前記第４合計金額データ１２ｄ１のうちの少なくとも０．１％が前記ショッピングポイントとされるとともに、前記第１ユーザー２１の第１ショッピングポイントモジュール２１２に記憶される。
【符号の説明】
【００２８】
１        ポイント表示システム
１０      オンラインショッピングサーバー  
１１      運営業者
１１１    第２商品
１２      ショッピングページ
１２ａ    第１買い物リスト
１２ａ１  第１合計金額データ
１２ｂ    第２買い物リスト
１２ｂ１  第２合計金額データ
１２ｃ    第３買い物リスト
１２ｃ１  第３合計金額データ
１２ｄ    第４買い物リスト
１２ｄ１  第４合計金額データ
１２ｅ１  第５買い物リスト
２０      ユーザー端末
２１      第１ユーザー
２１２    第１ショッピングポイントモジュール
２２      制御プログラム
２３      第２ユーザー
２３１    第２ユーザーアカウント情報
２３２    第２ショッピングポイントモジュール
２３３    第２紹介ポイントモジュール
２４      第３ユーザー
２４１    第３ユーザーアカウント情報
２４２    第３ショッピングポイントモジュール
２４３    第２紹介ポイントモジュール
２５      第４ユーザー
２５１    第４ユーザーアカウント情報
２１１    第１ユーザーアカウント情報
２１２    第１ショッピングポイントモジュール
２１３    第２紹介ポイントモジュール
３０      販売業者端末
３１      販売業者
３２      第１商品
【図１】
2020173737.tif 000003
【図２】
2020173737.tif 000004
【図３】
2020173737.tif 000005
【図４】
2020173737.tif 000006
【図５】
2020173737.tif 000007
【図６】
2020173737.tif 000008
【図７】
2020173737.tif 000009
【図８】
2020173737.tif 000010
【図９】
2020173737.tif 000011
【図１０】
2020173737.tif 000012